(57)【特許請求の範囲】
【請求項１】
玉計数装置の上部に配置された玉誘導路ユニットの玉誘導路に開閉板部を備えた開口部を設け、この開閉板部を開いたときに玉誘導路内の玉を玉誘導路外に取り出し可能としたパチンコ機の玉抜き装置において、
開閉板部の後端部と先端部に側方に突出する軸ピンと開閉操作ピンを形成し、玉誘導路の両側壁には軸ピンと開閉操作ピンとがそれぞれ嵌入される長孔を設け、さらに両側壁に、軸ピンを中心にして開閉板部を開く方向に回動させたときに開閉操作ピンが描く軌跡に沿って円弧状ガイド溝を形成して、この円弧状ガイド溝に前記先端側の長孔を接続したうえに、開閉操作ピンを先端側の長孔に嵌め込まれる方向にスプリングにより付勢して、
開閉板部とスプリングとにより開口部を開閉可能としたことを特徴とするパチンコ機の玉抜き装置。
【発明の詳細な説明】
【０００１】
【発明の属する技術分野】
本発明は、パチンコ機における玉計数装置の玉誘導路に設けられた玉抜き装置に関する。
【０００２】
【従来の技術】
パチンコ機の裏面中段から上部には、図４に例示するように、賞玉および貸玉を遊技者に供給するための装置として箱型の玉タンク１１、玉整列レール装置１２および玉計数装置１３などが配置されている。右端の玉計数装置１３の上部には、賞玉および貸玉を別個に管理するため、および玉整列レール装置１２から流入する玉の流速を緩慢なものにするために連続した玉の流れを作る専用の屈曲した誘導通路を備えた玉誘導路ユニット１４が配置されている。
【０００３】
そして、遊技者が玉を消費したり、また貸玉を要求したりしたときには、玉計数装置１３の下方の払出装置から所定数が送り出される。この玉の送り出しに伴い、玉タンク１１に貯留されている玉は、底開口部を通じて下方の玉整列レール装置１２に流入し、ここで玉の流れは整流され、玉誘導路ユニット１４を通じて次の玉計数装置１３に順次供給されて補充されるよう構成されている。
【０００４】
このような従来の玉供給装置では、装置の定期点検、清掃あるいは故障時の点検、修理などに当たっては、前記玉タンク１１、玉整列レール装置１２および玉計数装置１３などに貯留されている多数の玉を一旦、外部に排出する必要があった。この場合、玉計数装置１３を連続的に作動させて、全部の玉を取り出すようにしていたが、この玉供給装置から取り出される玉は、遊技者側になるパチンコ機の表側の所定位置に送り出されることになり、上記メンテナンスに際して、メンテナンス担当者は裏側から表側に回って作業しなければならないという不都合な点があった。
また、玉計数装置１３を連続的に作動させるためには、通常の作動と異なるモードのメンテナンス専用の操作用電気回路などを付加しなければならない不都合もあった。
【０００５】
【発明が解決しようとする課題】
本発明は、上記の問題点を解決するためになされたものであり、パチンコ機の玉供給装置である、玉タンク、玉整列レール装置および玉計数装置などに貯留されている玉を玉計数装置を作動させることなく、簡単な操作でパチンコ機の裏側に取り出すことのできる玉抜き装置を提供する。
【０００６】
【課題を解決するための手段】
上記の問題は、玉計数装置の上部に配置された玉誘導路ユニットの玉誘導路に開閉板部を備えた開口部を設け、この開閉板部を開いたときに玉誘導路内の玉を玉誘導路外に取り出し可能としたパチンコ機の玉抜き装置において、
開閉板部の後端部と先端部に側方に突出する軸ピンと開閉操作ピンを形成し、玉誘導路の両側壁には軸ピンと開閉操作ピンとがそれぞれ嵌入される長孔を設け、さらに両側壁に、軸ピンを中心にして開閉板部を開く方向に回動させたときに開閉操作ピンが描く軌跡に沿って円弧状ガイド溝を形成して、この円弧状ガイド溝に前記先端側の長孔を接続したうえに、開閉操作ピンを先端側の長孔に嵌め込まれる方向にスプリングにより付勢して、開閉板部とスプリングとにより開口部を開閉可能としたことを特徴とするものである。
【０００８】
この本発明のパチンコ機の玉抜き装置によれば、玉計数装置の玉誘導路ユニットの玉誘導路の傾斜床部に、開閉可能な開口部が設けられており、その開閉板部は、メンテナンスなどの必要時には、上流側に引き出しながら押し下げるだけで簡単に開くことができ、その上流側の玉タンク、玉整列レール装置、玉誘導路ユニットに貯留されている玉を玉計数装置を作動させることなく、裏面側の玉排出路に一度に取り出すことができる。また、この操作は、玉計数装置の作動とは関係がないので、メンテナンス専用の操作用電気回路などが必要とならない。
【０００９】
【発明の実施の形態】
次に、本発明のパチンコ機の玉抜き装置に係る実施形態について、図１〜３を参照しながら説明する。
図１は、図４に例示したような、パチンコ機の裏面に配置される玉計数装置の上部に位置する玉誘導路ユニットの一部に相当する部分であって、傾斜した玉の誘導路に対して左右の壁を切り開いた断面斜視図である。
先ず、本発明では、このような玉計数装置の上部に配置された玉誘導路ユニット２において、両側壁２１ａ、２１ｂの間に設けられた傾斜床部２２の上側を玉が流れる玉誘導路２３とし、その傾斜床部２２の下側を玉排出路２５の空間として、玉をパチンコ機の裏側に取り出せるものとしている。
【００１０】
そして、本発明の重要な特徴とするところは、次の（１）、（２）、（３）の構造を採用した点にある。
先ず（１）前記した傾斜床部２２に開口部２４と、その開口部２４を次に説明する機構によって開閉可能とした開閉板部３とを備えた点であり、その開閉板部３は、以下のような取り付け、および開閉機構を備えている。
【００１１】
すなわち、本発明の開閉板部３は、（２）その前端部３１と後端部３２には側方に突出した開閉操作ピン４１と軸ピン４２が形成され、それぞれが前記両側壁に設けた長孔５１、５２に装着された状態で、前記玉誘導路の傾斜床部２２の一部を構成している。この長孔５１、５２は、実施形態の側面図である図２に分かりやすく示してある。
そして、（３）前記前方側長孔５１の先端部分は、他方の長孔５２の先端部分に装着された軸ピン４２を中心にして開閉板部３を開く方向に回動させたときの開閉操作ピン４１が側壁２１ｂ上で描く軌跡に沿って形成された円弧状ガイド溝５３に接続しているのである。
【００１２】
このように構成された本発明の動作を図３を参照して説明する。
先ず図３（Ａ）は、前記開閉板部３の開閉操作ピン４１と軸ピン４２が長孔５１、５２のそれぞれの後端部分（図３では、長孔の左端部分）に装着された状態で、前記玉誘導路の傾斜床部の一部を構成している状態を示している。
この状態から、図３（Ｂ）のように、開閉板部３を前方（図３では右方向に）に引出しながら、図３（Ｃ）にように、開閉操作ピン４１を前記円弧状ガイド溝５３に沿って引き下げて移動させ、前記開閉板部３を開くことにより、開口部２４を通じて上流側の玉を前記玉排出路２５に誘導して取り出すことができる。
なお、上流側の玉をすべて取り出した後、前記開閉操作ピン４１を引き上げて開口部２４を閉じ、長孔５１の後端方向（図３では、長孔の左端方向）に押し込めば、開閉板部３は傾斜床部の一部に復帰して、通常の玉誘導路が再形成されるのである。
【００１３】
かくして、パチンコ機の裏側において、玉タンクや玉整列レール装置に貯留した玉を簡単にハンドリングできる。
この場合、前記開口部の下流側には、若干の玉が残留することになるが、これは僅かな量であるので、払出装置から従来のように取り出すようにしても問題とはならない。
【００１４】
また、本発明においては、図１、２に例示するような、開閉操作ピン４１と軸ピン４２、および長孔５１、５２とを前後に入れ換えた構成となし、さらに円弧状ガイド溝５３を後方の長孔に設けるようにして、開閉板部の上流側を軸として下流側を開くように構成して具体化することもできる。
【００１５】
そして、本発明はさらに、図３（Ａ）に示すように、開閉時に軸心になる前記軸ピン４２を、開閉板部３が閉状態を維持するよう（図３では、左方向に）に、スプリング６によって弾性付勢した形態に好ましく具体化ができる。この場合には、開閉板部３は、開閉操作ピン４１が長孔５１に係止状態となり、円弧状ガイド溝５３の方への移動が妨げられるので、誤動作のおそれがない。また、開状態から閉状態に復帰させるときに、閉状態が確実になるという利点がある。
【００１６】
また、前記軸ピンは、開閉板部の両側に突設したものとし、前記開閉操作ピンや、それが装着される長孔、および円弧状ガイド溝のそれぞれについては、玉誘導路ユニットの表面側（パチンコ機の裏面における作業者から見て）に位置するその構成は必要不可欠であるが、裏面側に位置する、開閉操作ピン、それが装着される長孔および円弧状ガイド溝については、これを省略した形態に具体化できる。
【００１７】
この場合には、表面側に位置する、例えば図１に示す開閉操作ピン４１の先端には、その開閉操作ピン４１が装着される長孔５１および円弧状ガイド溝５３の幅より大きな寸法の開閉操作用ツマミ部４３を設け、開閉板部３の開閉操作を容易にするとともに、開閉板部３の位置がずれて開閉が円滑に行えなくなるのを防止できるように構成するのが特に好ましい。このようにすれば、各部品の加工、製作工数を節約し、かつ簡便なで確実な開閉操作を行うことができる。
【００１８】
【発明の効果】
本発明のパチンコ機の玉抜き装置は、以上に説明したように構成されているので、玉タンク、玉整列レール装置および玉計数装置などに貯留されている玉の大部分を玉計数装置を作動させることなく、簡単な操作でパチンコ機の裏側に取り出すことが可能となり、メンテナンスなどの際に作業者はパチンコ機の表側に回るもとなく、裏側において所要の作業を行うことができるという優れた効果がある。よって本発明は従来の問題点を解消したパチンコ機の玉抜き装置として、その工業的価値は極めて大なるものがある。
【図面の簡単な説明】
【図１】本発明の実施形態を説明するための要部切欠き斜視図。
【図２】実施形態の要部側面図。
【図３】実施形態の動作（Ａ）（Ｂ）（Ｃ）を説明するための要部断面図。
【図４】パチンコ機の裏面の部品配置を示す正面図。
【符号の説明】
２  玉誘導路ユニット、２１ａ、２１ｂ  側壁、２２  傾斜床部、２３  玉誘導路、２４  開口部、２５  玉排出路、３  開閉板部、３１  前端部、３２  後端部、４１  開閉操作ピン、４２  軸ピン、５１、５２  長孔、５３  円弧状ガイド溝、６  スプリング。
【図１】
0004357033.tif 000002
【図２】
0004357033.tif 000003
【図３】
0004357033.tif 000004
【図４】
0004357033.tif 000005